(57)【要約】【課題】本発明は、カバーとガイド部材との間に詰まった記録シートを容易に取り除くことができる画像形成装置を提供することを目的とする。【解決手段】画像形成装置（カラープリンタ１）は、装置本体１０の後壁１３に形成される開口部１３Ａと、開口部１３Ａを開閉するカバー（リアカバー１４）と、記録シート（用紙Ｐ）に画像を形成する画像形成部３０と、第１排出経路と戻し経路との間において開口部１３Ａに対向するように配置され、記録シートをガイドするガイド部材１００と、を備える。ガイド部材１００は、下端部が装置本体１０に回動可能に支持され、カバーが開かれた状態において下端部を軸として上端部がカバーに近づくように倒れて倒姿勢となることで、画像形成部３０から開口部１３Ａを通って開放状態のカバー側に向かう第２排出経路９７を構成し、さらに、倒姿勢にあるときにカバーから離間可能に構成されている。【選択図】図３
2011008152.tif 000002
【特許請求の範囲】
【請求項１】
装置本体の側壁に形成される開口部と、
前記装置本体に下部が回動可能に支持されて、前記開口部を開閉するカバーと、
記録シートに画像を形成する画像形成部と、
前記画像形成部から前記開口部に向けて送られてくる記録シートを装置本体外の排出トレイへ案内する第１排出経路と、
前記第１排出経路から前記画像形成部よりも記録シートの搬送方向上流側に記録シートを戻すために、前記第１排出経路に繋がる戻し経路と、
前記第１排出経路と前記戻し経路との間において前記開口部に対向するように配置され、記録シートをガイドするガイド部材と、を備えた画像形成装置であって、
前記ガイド部材は、下端部が前記装置本体に回動可能に支持され、前記カバーが開かれた状態において前記下端部を軸として上端部が前記カバーに近づくように倒れて倒姿勢となることで、前記画像形成部から前記開口部を通って開放状態のカバー側に向かう第２排出経路を構成し、さらに、前記倒姿勢にあるときに前記カバーから離間可能に構成されていることを特徴とする画像形成装置。
【請求項２】
前記ガイド部材は、
前記下端部を有する支持部材と、
前記支持部材に対して、前記下端部よりも上方において回動可能に連結され、回動することにより前記排出経路と前記戻し経路とを切り替えるフラッパとを備え、
前記カバーまたは前記支持部材に設けられ、前記カバーの閉塞時に、前記支持部材の前記カバー側への移動を規制する規制部と、をさらに備えたことを特徴とする画像形成装置。
【請求項３】
前記装置本体には、
前記フラッパを挟んで前記カバーとは反対側に配置される壁部が設けられ、
前記フラッパと前記支持部材との間には、
前記フラッパを前記壁部に向けて付勢する付勢部材が設けられていることを特徴とする請求項２に記載の画像形成装置。
【請求項４】
前記規制部は、前記支持部材のうち前記フラッパの揺動中心寄りに設けられていることを特徴とする請求項２または請求項３に記載の画像形成装置。
【請求項５】
前記ガイド部材は、前記開放したカバーに対して傾倒したときに、上端部が前記カバーと接触するように構成されていることを特徴とする請求項１〜請求項４のいずれか１項に記載の画像形成装置。
【請求項６】
前記フラッパと前記支持部材には、
前記付勢部材の付勢力によって前記フラッパが前記支持部材と対向するように折り畳まれるのを規制する係止部が設けられていることを特徴とする請求項３に記載の画像形成装置。
【発明の詳細な説明】
【技術分野】
【０００１】
本発明は、装置本体の側壁に形成される開口部を開閉するカバーを開放することにより、当該カバーに用紙を排出することが可能な画像形成装置に関する。
【背景技術】
【０００２】
従来、用紙（記録シート）に画像を形成する画像形成部と、装置本体の後壁に形成される開口部を開閉するリアカバーと、画像形成部と開口部との間に配置され、画像形成部から出てくる用紙を装置本体の上面に形成される排紙トレイに案内するガイド部材とを備えた画像形成装置が知られている（特許文献１参照）。この技術では、ガイド部材の下端が装置本体に回動可能に支持され、ガイド部材の上端がリアカバーに連結されている。
【０００３】
そのため、この技術では、リアカバーを倒すと、リアカバーに連結されたガイド部材も一緒に倒れて、トレイの一部を形成するようになっている。そして、リアカバーを倒した場合には、画像形成部から出てくる用紙を、開口部を通してリアカバー上に排出させることが可能となっている。
【先行技術文献】
【特許文献】
【０００４】
【特許文献１】特開２００６−３３０１７２号公報
【発明の概要】
【発明が解決しようとする課題】
【０００５】
しかしながら、従来技術では、リアカバーを倒したときに、リアカバーとガイド部材との間に用紙が詰まっている場合には、連結されたリアカバーとガイド部材との間の狭い隙間から手や道具を入れて用紙を引き出さなければならず、用紙が破けるおそれがあった。また、詰まった用紙を手で掴めたとしても、用紙を無理やり引っ張ることで、ガイド部材に無理な力が加わり破損するおそれもあった。
【０００６】
そこで、本発明は、カバーとガイド部材との間に詰まった記録シートを容易に取り除くことができる画像形成装置を提供することを目的とする。
【課題を解決するための手段】
【０００７】
前記課題を解決する本発明は、装置本体の側壁に形成される開口部と、前記装置本体に下部が回動可能に支持されて、前記開口部を開閉するカバーと、記録シートに画像を形成する画像形成部と、前記画像形成部から前記開口部に向けて送られてくる記録シートを装置本体外の排出トレイへ案内する第１排出経路と、前記第１排出経路から前記画像形成部よりも記録シートの搬送方向上流側に記録シートを戻すために、前記第１排出経路に繋がる戻し経路と、前記第１排出経路と前記戻し経路との間において前記開口部に対向するように配置され、記録シートをガイドするガイド部材と、を備えた画像形成装置であって、前記ガイド部材は、下端部が前記装置本体に回動可能に支持され、前記カバーが開かれた状態において前記下端部を軸として上端部が前記カバーに近づくように倒れて倒姿勢となることで、前記画像形成部から前記開口部を通って開放状態のカバー側に向かう第２排出経路を構成し、さらに、前記倒姿勢にあるときに前記カバーから離間可能に構成されていることを特徴とする。
【０００８】
本発明によれば、カバーを開放した際に、カバーとガイド部材との間に記録シートが詰まっていた場合であっても、ガイド部材をカバーから離間させることで、記録シートやガイド部材を傷つけることなく、記録シートを容易に取り除くことができる。
【発明の効果】
【０００９】
本発明によれば、開放状態のカバーに対してガイド部材が離間可能に構成されているので、カバーとガイド部材との間で詰まった記録シートを容易に取り除くことができる。
【図面の簡単な説明】
【００１０】
【図１】本発明の一実施形態に係るカラープリンタを示す断面図である。
【図２】手差しカバーを開いた状態を示す拡大断面図である。
【図３】リアカバーを開いた状態を示す拡大断面図である。
【図４】リアカバーを閉めているときのガイド部材を示す側面図（ａ）と、リアカバーを開いたときのガイド部材を示す側面図（ｂ）である。
【図５】フラッパによる経路切替の動作を示す断面図（ａ）〜（ｃ）である。
【図６】リアカバーとガイド部材との間に詰まった用紙を取り出す動作を示す断面図（ａ）と、リアカバーを閉めるときのガイド部材の状態を示す断面図（ｂ）である。
【図７】規制部の変形例を示す断面図である。
【図８】ガイド部材を一部品で構成した形態を示す断面図である。
【発明を実施するための形態】
【００１１】
次に、本発明の一実施形態について、適宜図面を参照しながら詳細に説明する。なお、以下の説明においては、まず、画像形成装置の一例としてのカラープリンタの全体構成を簡単に説明した後、本発明の特徴部分を詳細に説明することとする。
【００１２】
以下の説明において、方向は、カラープリンタ使用時のユーザを基準にした方向で説明する。すなわち、図１において、紙面に向かって左側を「前側（手前側）」、紙面に向かって右側を「後側（奥側）」とし、紙面に向かって奥側を「左側」、紙面に向かって手前側を「右側」とする。また、紙面に向かって上下方向を「上下方向」とする。
【００１３】
図１に示すように、カラープリンタ１は、装置本体１０内に、記録シートの一例としての用紙Ｐを供給する給紙部２０と、給紙された用紙Ｐに画像を形成する画像形成部３０と、画像が形成された用紙Ｐを排出する排紙部９０とを備えている。
【００１４】
給紙部２０は、装置本体１０内の下部に設けられ、装置本体１０に着脱自在に装着される給紙トレイ２１と、給紙トレイ２１から画像形成部３０へ用紙Ｐを搬送する用紙供給機構２２を主に備えている。給紙部２０では、給紙トレイ２１内の用紙Ｐが、用紙供給機構２２によって一枚ずつ分離されて画像形成部３０に供給される。
【００１５】
画像形成部３０は、４つのＬＥＤユニット４０と、４つのプロセスカートリッジ５０と、転写ユニット７０と、定着装置８０とから主に構成されている。
【００１６】
ＬＥＤユニット４０は、後述する感光ドラム５３を露光するべく、複数のＬＥＤを備えて構成されている。
【００１７】
プロセスカートリッジ５０は、後述するベルト７３の上面に対向配置される感光ドラム５３や、符号を省略して示す公知の帯電器、現像ローラ、トナー収容室などを備えて構成されている。
【００１８】
転写ユニット７０は、給紙部２０と各プロセスカートリッジ５０との間に設けられ、駆動ローラ７１、従動ローラ７２、ベルト７３および転写ローラ７４を主に備えている。
【００１９】
定着装置８０は、加熱ローラ８１と、加熱ローラ８１と対向配置され加熱ローラ８１を押圧する加圧ローラ８２とを備えている。
【００２０】
このように構成される画像形成部３０では、まず、各感光ドラム５３の表面が、帯電器により一様に帯電された後、各ＬＥＤユニット４０で露光される。これにより、露光された部分の電位が下がって、各感光ドラム５３上に画像データに基づく静電潜像が形成される。その後、静電潜像に現像ローラよりトナーが供給されることで、感光ドラム５３上にトナー像が担持される。
【００２１】
次に、ベルト７３上に供給された用紙Ｐが各感光ドラム５３と各転写ローラ７４との間を通過することで、各感光ドラム５３上に形成されたトナー像（画像）が用紙Ｐ上に転写される。そして、用紙Ｐが加熱ローラ８１と加圧ローラ８２との間を通過することで、用紙Ｐ上に転写されたトナー像が熱定着される。
【００２２】
排紙部９０は、複数対の搬送ローラ９１と、一対の排紙ローラ９２とを主に備えている。そして、これらの各ローラ９１，９２やガイド等によって、画像形成部３０で印字された用紙Ｐ（定着された用紙Ｐ）を装置本体１０外の排出トレイ１１に案内する第１排出経路９３が形成されている。具体的に、この第１排出経路９３では、定着装置８０から後述する装置本体１０の後側の開口部１３Ａに向けて送られてくる用紙Ｐが、後述するガイド部材１００等によって上方の排出トレイ１１に案内されている。
【００２３】
また、この第１排出経路９３には、第１排出経路９３から画像形成部３０の用紙搬送方向上流側に用紙Ｐを戻すための戻し経路９４が連続するように繋がっている。なお、この戻し経路９４は、複数の反転搬送ローラ９５とガイド９６等によって形成されている。
【００２４】
そして、排紙部９０では、片面印字時においては、定着装置８０から出た用紙Ｐが、複数対の搬送ローラ９１と一対の排紙ローラ９２とで搬送されて、排出トレイ１１に排出される。一方、両面印字時においては、片面印字された用紙Ｐは、排紙ローラ９２により途中まで排出トレイ１１上に排出された後、排紙ローラ９２の逆回転（スイッチバック）によって戻し経路９４に送られて、画像形成部３０の上流側に反転状態で再供給される。
【００２５】
また、図２に示すように、装置本体１０の前側には、下部を中心に揺動する手差しカバー１２が設けられている。そして、開放した手差しカバー１２上の用紙Ｐは、図示せぬ給紙ローラやレジストローラ２２Ａ等によって、画像形成部３０へ送られる。
【００２６】
また、図３に示すように、装置本体１０の後壁１３（側壁）には開口部１３Ａが形成されており、この開口部１３Ａは、下部を中心に揺動するカバーの一例としてのリアカバー１４で開閉されるようになっている。そして、リアカバー１４と定着装置８０との間には、用紙Ｐをガイドするガイド部材１００が設けられている。
【００２７】
＜ガイド部材の構造＞
以下に、本発明の特徴部分であるガイド部材１００の構造について詳細に説明する。
図４（ａ）に示すように、ガイド部材１００は、支持部材１１０と、フラッパ１２０とを備えて構成されている。
【００２８】
支持部材１１０は、上下に延びるとともに左右方向に薄い長尺板状のリブ状部材１１１を左右方向で間隔を空けて複数配置するとともに、それぞれを図示せぬ連結部によって連結することで構成されている。すなわち、複数のリブ状部材１１１は、用紙Ｐを載置することが可能なように、用紙Ｐの幅よりも狭い間隔で配置されている。そして、支持部材１１０は、その下端部１１２が装置本体１０に回動可能に支持され、その上端部１１３でフラッパ１２０の回動軸１２２を回動可能に支持している。
【００２９】
支持部材１１０の下端部１１２には、後方に向けて突出することで閉塞状態のリアカバー１４と接する規制部１１４が設けられている。これにより、リアカバー１４の閉塞時には、規制部１１４がリアカバー１４で支持されることで、支持部材１１０の後方（リアカバー１４側）への移動が規制されている。
【００３０】
なお、規制部１１４は、用紙Ｐよりも幅方向外側の位置に一対設けられており、これにより、一対の規制部１１４の間を用紙Ｐが通過するようになっている。
【００３１】
また、支持部材１１０の上端部１１３には、後述するフラッパ１２０の回動を規制する係止部の一例としての係止リブ１１５が設けられている。係止リブ１１５は、フラッパ１２０の回動軸１２２を中心とする円弧状のリブであり、この回動軸１２２よりも上方の位置から左右方向外側に突出するように形成されている。
【００３２】
フラッパ１２０は、前斜め上方に湾曲するように延びるとともに左右方向に薄い板状のリブ状部材１２１を左右方向で間隔を空けて複数配置するとともに、それぞれの下端部を回動軸１２２によって連結することで構成されている。なお、複数のリブ状部材１２１は、前述した支持部材１１０のリブ状部材１１１と同様に、用紙Ｐを載置することが可能なように、用紙Ｐの幅よりも狭い間隔で配置されている。
【００３３】
回動軸１２２の端部には、径方向外側に突出する係止部の一例としての係止片１２３が形成されている。これにより、図４（ｂ）に示すように、フラッパ１２０が図示反時計回り（リアカバー１４から離れる方向）に回動する際には、係止片１２３が係止リブ１１５に当接することで、フラッパ１２０の回動が規制されている。
【００３４】
また、支持部材１１０とフラッパ１２０との間には、フラッパ１２０を前方に向けて付勢する付勢部材の一例としてのトーションバネ１３０が設けられている。具体的に、このトーションバネ１３０は、図４（ａ）に示すように、閉塞状態のリアカバー１４で支持部材１１０が起立状態に保持されているときにおいて、フラッパ１２０を定着装置８０のフレーム８３（壁部）に向けて付勢するように構成されている。
【００３５】
これにより、リアカバー１４を開放すると、図４（ｂ）に示すように、リアカバー１４による規制部１１４の押さえが外れることで、トーションバネ１３０による付勢力でフラッパ１２０がフレーム８３を押す力に対する反作用によって、ガイド部材１００が後方に弾かれるように押される。そのため、リアカバー１４を開くと、自動的にガイド部材１００も後方に倒れるようになっている。
【００３６】
なお、この図４（ｂ）のような状態（フラッパ１２０が定着装置８０のフレーム８３に接するとともに、係止片１２３と係止リブ１１５とが当接した状態）においては、ガイド部材１００全体の重心が、ガイド部材１００全体の揺動中心（支持部材１１０の下端部１１２にある揺動中心）よりもリアカバー１４側に位置するように構成されるのが望ましい。これによれば、トーションバネ１３０の付勢力に対する反作用に加え、ガイド部材１００の自重も、ガイド部材１００を揺動させる力として働くので、確実にガイド部材１００を倒すことができる。
【００３７】
以上のように構成されるガイド部材１００は、図１に示すようにリアカバー１４の閉塞時には、上下方向に沿った起立姿勢となっており、第１排出経路９３（実線）と戻し経路９４（破線）との間（分岐点付近）において、開口部１３Ａと対向するように配置されている。この状態においては、支持部材１１０がリアカバー１４で押さえられて動かないので、この動かない支持部材１１０に対してフラッパ１２０が大きく回動することが可能となっている。すなわち、フラッパ１２０は、リアカバー１４の閉塞時においては、大きな角度で回動することで、図５（ａ）〜（ｃ）に示すように、第１排出経路９３と戻し経路９４とを良好に切り替えている。
【００３８】
具体的には、図５（ａ）に示すように、リアカバー１４が閉じられた状態において、定着装置８０から排出された用紙Ｐによってフラッパ１２０が後方に押されると、フラッパ１２０が第１排出経路９３から退避して、用紙Ｐが第１排出経路９３を通ることが可能となる。すなわち、フラッパ１２０によって戻し経路９４から第１排出経路９３に切り替えられることとなる。
【００３９】
そして、用紙Ｐの後端がフラッパ１２０から外れると、図５（ｂ）に示すように、フラッパ１２０がトーションバネ１３０（図４参照）の付勢力によって元の位置に復帰する。すなわち、フラッパ１２０によって第１排出経路９３から戻し経路９４に切り替えられることとなる。
【００４０】
その後は、図５（ｃ）に示すように、スイッチバックにより用紙Ｐが逆向きに搬送されてくると、この用紙Ｐは、フラッパ１２０の後面で案内されて戻し経路９４に送られる。
【００４１】
＜リアカバーの開閉時におけるガイド部材の動作＞
次に、リアカバー１４の開閉時におけるガイド部材１００の動作について説明する。
図３に示すように、リアカバー１４を開くと、ガイド部材１００は、前述したようにトーションバネ１３０の付勢力に対する反作用によって後方に押されることで、下端部を軸として上端部がリアカバー１４に近づくように倒れていく。この際、フラッパ１２０の回動が係止片１２３と係止リブ１１５との係合により規制されることで（図４（ｂ）参照）、フラッパ１２０が支持部材１１０と対向するように折り畳まれることが規制される。
【００４２】
すなわち、フラッパ１２０と支持部材１１０とが略直線状に向きを揃えた姿勢（フラッパ１２０と支持部材１１０の角度が図４（ａ）のような鈍角）で保たれたまま、ガイド部材１００が後方に倒れていく。そして、ガイド部材１００の上端部がリアカバー１４と接触すると、このリアカバー１４でガイド部材１００が支持されて倒姿勢となる。
【００４３】
これにより、定着装置８０（画像形成部３０）から開口部１３Ａを通って開放状態のリアカバー１４側に向かう第２排出経路９７が構成されるようになっている。そして、このように第２排出経路９７が構成された場合には、例えば図２に示すように開いた手差しカバー１２上の用紙Ｐを、前後に略真っ直ぐ送りつつ印字を行った後、リアカバー１４上に排紙するといった、いわゆるストレート排紙を行うことが可能となる。なお、このストレート排紙の際、ガイド部材１００は、用紙Ｐの後端を載せておくための補助トレイとして機能する。
【００４４】
また、倒姿勢となったガイド部材１００は、リアカバー１４には連結されずにリアカバー１４で支持されるだけなので、開いたリアカバー１４に対して離間可能となっている。これにより、図６（ａ）に示すように、リアカバー１４を開いた際に、リアカバー１４とガイド部材１００との間に用紙Ｐが詰まっている場合であっても、ガイド部材１００を起こすだけで、簡単に詰まった用紙Ｐを取り除くことが可能となっている。
【００４５】
また、リアカバー１４を閉じる場合には、図６（ｂ）に示すように、リアカバー１４の先端を持ち上げていくと、ガイド部材１００の上端部（フラッパ１２０）が、リアカバー１４で支持されながら上方に揺動していく。その後は、リアカバー１４が完全に閉まるまでの間に、ガイド部材１００のリアカバー１４で支持される箇所が、フラッパ１２０から支持部材１１０の規制部１１４に変わり、この規制部１１４がリアカバー１４で前方に押されていく。
【００４６】
続いて、図４（ｂ）に示すように、フラッパ１２０の上端が定着装置８０のフレーム８３に当接すると、移動が止められたフラッパ１２０に対して支持部材１１０がリアカバー１４によって前方に押されて揺動する。これにより、図４（ａ）に示すように、フラッパ１２０と支持部材１１０との角度が開いていくことでトーションバネ１３０の両端が押し広げられて、フラッパ１２０の上端が定着装置８０のフレーム８３に付勢される。すなわち、リアカバー１４を閉めるだけで、ガイド部材１００も同時に正規位置（第１排出経路９３と戻し経路９４とを切替可能な位置）に位置するようになっている。
【００４７】
以上によれば、本実施形態において以下のような効果を得ることができる。
開放状態のリアカバー１４に対してガイド部材１００が離間可能に構成されているので、リアカバー１４とガイド部材１００との間で詰まった用紙Ｐを容易に取り除くことができる。
【００４８】
リアカバー１４の閉塞時に支持部材１１０のリアカバー１４側への移動を規制する規制部１１４を設けることで、支持部材１１０とフラッパ１２０との連結軸（回動軸１２２）を中心にしてフラッパ１２０を大きく揺動させることができるので、経路の切替を良好に行うことができる。また、リアカバー１４の開放時には、装置本体１０と支持部材１１０との連結軸（回動軸）を中心にしてガイド部材１００が揺動するので、リアカバー１４とガイド部材１００の上端との間を近付けて（本実施形態では接触させて）、これらの間から用紙Ｐが装置本体１０内に通り抜けてしまうのを抑えることができる。
【００４９】
フラッパ１２０を定着装置８０のフレーム８３に向けて付勢するトーションバネ１３０を設けたので、リアカバー１４を開く際に、トーションバネ１３０の付勢力に対する反作用によって、フラッパ１２０がフレーム８３から遠ざかるように押されるので、ガイド部材１００を自動的に倒して、ストレート排紙を迅速に行うことができる。
【００５０】
ガイド部材１００の上端部が、開放したリアカバー１４と接触するように構成されているので、ガイド部材１００の上端部とリアカバー１４との間から、用紙Ｐが落ちるのを確実に防ぐことができる。
【００５１】
係止片１２３と係止リブ１１５との係合によりフラッパ１２０の回動を規制することで、ガイド部材１００の傾倒時においてフラッパ１２０が支持部材１１０と対向するように折り畳まれるのを規制することができる。すなわち、係止片１２３等がない構造では、フラッパ１２０が支持部材１１０に近づくように折り畳まれてしまい、フラッパ１２０をリアカバー１４に接触させにくいが、本実施形態の構造では、ガイド部材１００の上端部（フラッパ１２０）をリアカバー１４に確実に接触させて、これらの間の隙間を無くすことができる。
【００５２】
なお、本発明は前記実施形態に限定されることなく、以下に例示するように様々な形態で利用できる。
前記実施形態では、規制部１１４を支持部材１１０に設けたが、本発明はこれに限定されず、例えば図７に示すように、リアカバー１４に規制部１４１を設けてもよい。具体的に、この規制部１４１は、リアカバー１４からガイド部材２００へ向けて突出するように形成されている。
【００５３】
ここで、この図７の形態におけるガイド部材２００は、前記実施形態と同様のフラッパ１２０およびトーションバネ１３０を有する他、前記実施形態における支持部材１１０の規制部１１４をリアカバー１４とは接触しない大きさで形成した支持部材２１０を有している。なお、図７や後述する図８において、前記実施形態と同様の構造には、同一符号を付して、その説明を省略する。
【００５４】
そして、リアカバー１４に設けた規制部１４１は、支持部材２１０のうちフラッパ１２０の揺動中心寄りに設けられている。これにより、リアカバー１４の閉塞時に、規制部１４１が支持部材２１０におけるフラッパ１２０の揺動中心付近を支えるので、揺動中心から遠い側を規制部で支持する構造に比べ、支持部材２１０のガタツキを抑えることができ、フラッパ１２０による経路の切替をより良好に行うことができる。
【００５５】
前記実施形態では、ガイド部材１００を支持部材１１０とフラッパ１２０の２部品で構成したが、本発明はこれに限定されず、例えば図８に示すように、１つの部品でガイド部材３００を構成してもよい。具体的に、このガイド部材３００は、図７における支持部材２１０およびフラッパ１２０を一体に形成したような形状（すなわち、前記実施形態における規制部１１４を取り除いた形状）となっている。
【００５６】
また、この構造では、リアカバー１４に、コイルバネ１４２と、コイルバネ１４２の先端に設けられてガイド部材３００と当接する当接部材１４３とが設けられている。このような構造であっても、コイルバネ１４２の付勢力によって経路の切替を良好に行うことができる。また、リアカバー１４の開放時には、リアカバー１４からガイド部材３００を離間させることができるので、リアカバー１４とガイド部材３００との間で詰まった用紙を良好に取り除くことができる。
【００５７】
なお、この構造の場合、リアカバー１４を倒すだけでは、ガイド部材３００が自動的に後方に倒れてこないが、ガイド部材３００は、手動または定着装置８０から出てくる用紙で押されることで、後方に倒せばよい。また、この図８よりもガイド部材３００の姿勢を後ろに傾けた姿勢とする（すなわち、ガイド部材３００の重心を揺動中心よりもリアカバー１４側にする）ことで、リアカバー１４を倒したときに、ガイド部材３００を自重で後方に倒れるようにしてもよい。
【００５８】
前記実施形態では、支持部材１１０およびフラッパ１２０を、複数のリブ状部材を左右に並べて連結することで構成したが、本発明はこれに限定されず、例えば、左右上下に延びる１枚の板で構成してもよい。ただし、前記実施形態のように、用紙搬送方向に延びる複数のリブ状部材で支持部材等を構成する場合には、用紙と支持部材等が摺接する面積を小さくできるので、搬送の際の抵抗が小さくなり、用紙を良好に搬送することができる。
【００５９】
前記実施形態では、フラッパ１２０を定着装置８０のフレーム８３に付勢したが、本発明はこれに限定されず、フラッパを挟んでリアカバーとは反対側に配置される壁部であればよく、例えば、装置本体に一体形成される壁部であってもよい。
【００６０】
前記実施形態では、フラッパ１２０を回動させることで経路の切替を行ったが、本発明はこれに限定されるものではない。例えば、従来技術（特開２００６−３３０１７２号公報）のように、リアカバーを閉めているときには回動しないガイド部材を第１排出経路と戻し経路との間に単に配置するだけで、用紙がそのコシのみで各経路に侵入するように構成してもよい。この場合であっても、ガイド部材をリアカバーには連結させずに、リアカバーに対して離間可能に構成することで、ガイド部材とリアカバーとの間の用紙を容易に取り除くことができる。
【００６１】
前記実施形態では、開放したリアカバー１４に対してガイド部材１００の上端部を接触させるように構成したが、本発明はこれに限定されるものではない。例えば、倒姿勢のときにガイド部材の上端部がリアカバー１４から少し離れるように、ガイド部材の上端部以外の部位がリアカバーから突出する部位で支持されたり、ガイド部材が装置本体で支持されてもよい。
前記実施形態では、付勢部材としてトーションバネ１３０を採用したが、本発明はこれに限定されず、線バネや板バネ等を採用してもよい。
【００６２】
前記実施形態では、カラープリンタ１に本発明を適用したが、本発明はこれに限定されず、その他の画像形成装置、例えば複写機や複合機などに本発明を適用してもよい。
前記実施形態では、記録シートの一例として、厚紙、はがき、薄紙などの用紙Ｐを採用したが、本発明はこれに限定されず、例えばＯＨＰシートであってもよい。
【００６３】
前記実施形態では、カバーとしてリアカバー１４を採用したが、本発明はこれに限定されず、例えば左右にストレート排紙を行う場合には、カバーとしてサイドカバーを採用し、このサイドカバーと画像形成部との間にガイド部材を設けてもよい。
前記実施形態では、画像形成部としてＬＥＤを用いて露光するものを採用したが、本発明はこれに限定されず、レーザ光を用いて露光するものなど様々なものを採用できる。
【符号の説明】
【００６４】
１      カラープリンタ
１０    装置本体
１１    排出トレイ
１３    後壁
１３Ａ  開口部
１４    リアカバー
３０    画像形成部
８０    定着装置
８３    フレーム
９３    第１排出経路
９４    戻し経路
９７    第２排出経路
１００  ガイド部材
１１０  支持部材
１１４  規制部
１１５  係止リブ
１２０  フラッパ
１２３  係止片
１３０  トーションバネ
Ｐ      用紙
【図１】
2011008152.tif 000003
【図２】
2011008152.tif 000004
【図３】
2011008152.tif 000005
【図４】
2011008152.tif 000006
【図５】
2011008152.tif 000007
【図６】
2011008152.tif 000008
【図７】
2011008152.tif 000009
【図８】
2011008152.tif 000010